(57)【要約】【課題】複数の使用者が不快感無く使用でき、吐出手段の紛失も防止できる酸素富化機を提供すること。【解決手段】酸素濃度の高い酸素富化空気を生成する酸素富化膜ユニット（酸素富化手段）を有する本体１と、前記酸素富化空気を使用者の口元近傍に吐出する吐出ユニット（吐出手段）２１と、前記酸素富化膜ユニットと吐出ユニット２１とを連通させる連結管と、本体１に設けられた収納部３０とを備え、吐出ユニット２１を前記連結管から取り外し可能とし、取り外した複数の吐出ユニット２１を、収納部３０に収納可能な構成としたもので、吐出ユニット２１を自分専用に確保して、これを不特定多数の人が使用する酸素富化機に接続でき、吐出ユニット２１に不潔感を持たなくなり、また吐出ユニット２１をポケットや手持カバンなどに収納して持ち運びすること等による紛失も防止できる。【選択図】図１３
2009039201.tif 000002
【特許請求の範囲】
【請求項１】
酸素濃度の高い酸素富化空気を生成する酸素富化手段を有する本体と、前記酸素富化空気を使用者の口元近傍に吐出する吐出手段と、前記酸素富化手段と前記吐出手段とを連通させる連結管と、前記本体に設けられた収納部とを備え、前記吐出手段を前記連結管から取り外し可能とし、取り外した複数の吐出手段を、前記収納部に収納可能な構成とした酸素富化機。
【請求項２】
収納部表面に、開閉または取り外し可能な、透明または半透明の収納カバーを備え、前記収納部内に運転表示ランプを設けると共に、取り外した複数の吐出手段を、前記収納部内で、前記運転表示ランプの近傍に収納可能な構成とした請求項１に記載の酸素富化機。
【請求項３】
収納部表面に、開閉または取り外し可能な、透明または半透明の収納カバーを備え、前記収納部内に殺菌ランプを設けると共に、取り外した複数の吐出手段を、前記収納部内で、前記殺菌ランプの近傍に収納可能な構成とした請求項１に記載の酸素富化機。
【請求項４】
収納部の少なくとも一部に、抗菌処理を施した請求項１〜３のいずれか１項に記載の酸素富化機。
【発明の詳細な説明】
【技術分野】
【０００１】
本発明は、酸素富化空気を使用者に提供する酸素富化機に関するものである。
【背景技術】
【０００２】
従来の酸素富化機は、空気中の酸素を濃縮して酸素富化空気を発生させる装置本体と、これに接続された酸素吐出口と、音声発生源と、ヘッドホンタイプの音声出力部等を備え、前記酸素吐出口と前記音声出力部を一体にし、前記酸素吐出口を人体の口の部分に位置させることで酸素吸入できるようにしてある（例えば、特許文献１参照）。
【特許文献１】特開平３−６３０６７号公報
【発明の開示】
【発明が解決しようとする課題】
【０００３】
しかしながら、このようなタイプの酸素富化機は、一人が専用として使用するのではなく不特定多数の多くの人が使用することが多いが、前記従来の構成では、酸素吐出手段を使用者の口の部分に位置させるため、たとえ口に直接装着しないとはいえ口に近接することから不快感を与えるという課題があった。また吐出手段を着脱自在として自分専用に確保した場合には、吐出手段を紛失してしまうという課題があった。
【０００４】
本発明は、上記課題を解決するもので、使用者が不快感無く使用でき、また吐出手段の紛失も防止できる酸素富化機を提供することを目的とするものである。
【課題を解決するための手段】
【０００５】
上記従来の課題を解決するために本発明は、酸素濃度の高い酸素富化空気を生成する酸素富化手段を有する本体と、前記酸素富化空気を使用者の口元近傍に吐出する吐出手段と、前記酸素富化手段と前記吐出手段とを連通させる連結管と、前記本体に設けられた収納部とを備え、前記吐出手段を前記連結管から取り外し可能とし、取り外した複数の吐出手段を、前記収納部に収納可能な構成としたもので、着脱可能の吐出手段を自分専用に確保し、これを、不特定多数の人に使用される酸素富化機に接続できることで、何ら不快感を持つことなく酸素富化機を使用することができる。また吐出手段を本体に着脱自在に収納することで吐出手段の紛失を防止できる。
【発明の効果】
【０００６】
本発明の酸素富化機は、不特定多数の使用者が、何ら不潔感、不快感を持つことなく使用でき、また吐出手段の紛失も防止できる。
【発明を実施するための最良の形態】
【０００７】
第１の発明は、酸素濃度の高い酸素富化空気を生成する酸素富化手段を有する本体と、前記酸素富化空気を使用者の口元近傍に吐出する吐出手段と、前記酸素富化手段と前記吐出手段とを連通させる連結管と、前記本体に設けられた収納部とを備え、前記吐出手段を前記連結管から取り外し可能とし、取り外した複数の吐出手段を、前記収納部に収納可能な構成としたもので、着脱自在の部位より下流側の吐出手段を自分専用に確保し、これを、不特定多数の人に使用される酸素富化機に接続できることで、何ら不快感を持つことなく酸素富化機を使用することができる。また吐出手段を本体に着脱自在に収納することで吐出手段の紛失を防止できる。
【０００８】
第２の発明は、第１の発明の収納部表面に、開閉または取り外し可能な、透明または半透明の収納カバーを備え、前記収納部内に運転表示ランプを設けると共に、取り外した複数の吐出手段を、前記収納部内で、前記運転表示ランプの近傍に収納可能な構成としたもので、吐出手段を本体に着脱自在に収納することにより吐出手段の紛失を防止することが出来ると共に運転表示ランプのバックライトの光で吐出手段の収納状態を透明または半透明の収納カバーに照らし出して示すことにより吐出手段の装着忘れを防止することが出来る。
【０００９】
第３の発明は、第１の発明の収納部表面に、開閉または取り外し可能な、透明または半透明の収納カバーを備え、前記収納部内に殺菌ランプを設けると共に、取り外した複数の吐出手段を、前記収納部内で、前記殺菌ランプの近傍に収納可能な構成としたもので、吐出手段を本体に着脱自在に収納することにより吐出手段の紛失を防止することが出来ると共に殺菌ランプの殺菌、抗菌作用で吐出手段を衛生的に保管することが出来る。
【００１０】
第４の発明は、第１〜第３のいずれか１つの発明の収納部の少なくとも一部に、抗菌処理を施したもので、吐出手段を本体に着脱自在に収納することにより吐出手段の紛失を防止することが出来ると共に収納部の少なくとも一部に抗菌処理を施したことにより抗菌処理の抗菌作用で吐出手段を衛生的に保管することが出来る。
【００１１】
以下、本発明の実施の形態について、図面を参照しながら説明する。なお、本実施の形態によって本発明が限定されるものではない。
【００１２】
（実施の形態１）
本発明の第１の実施の形態について、図１から図１３を用いて説明する。
【００１３】
本体１の内部には、酸素の濃度を高め、いわゆる酸素富化空気を発生する、例えば酸素富化膜ユニット等の酸素富化手段（以下、「酸素富化膜ユニット」と称す）２を設けている。前記酸素富化膜ユニット２は有機高分子の平膜より構成され、膜を通過する分子の速度の差を利用するもので、空気中の窒素に比べ酸素をよく通すため、比較的高い酸素濃度のいわゆる酸素富化空気が得られる。通常の空気において酸素が占める割合は約２１％（窒素約７９％）であるが、本実施の形態の酸素富化膜ユニット２を通過後の酸素富化空気においては、酸素が占める割合が約３０％（窒素約７０％）となる。
【００１４】
また、前記酸素富化膜ユニット２は、図１０、図１１に示す如くメッシュ構造のフレーム３の両側面に略長方形の酸素富化膜４を貼って両膜間を通路としたモジュール５を、複数枚積層した略直方体のユニット構造となっており、フレーム３の通路内を吸引することにより、酸素富化膜４の周辺を流れる空気の一部が酸素富化膜４を通過してフレーム３の通路内に入りこみ、酸素富化空気が得られ、この得られた酸素富化空気を酸素富化膜ユニット２の唯一の排出口であるユニット排出口６から集中排気している。
【００１５】
また、本体１の内部には、本体１の背面に設けた吸気口７から本体１内に外気を吸引し、酸素富化膜ユニット２に送った後、酸素富化膜４を通過しフレーム３の通路内に吸引された空気を除いた外気を、本体１の側面に設けた排気口８から外部に排出するためのモーターファン等の送風部（以下、「ファン」と称す）９を有している。また前記ファン９は、酸素富化膜ユニット２の下流側で、排気口８の近傍に設けられており、ファン９に対して酸素富化膜ユニット２の反対側には制御手段である回路４４を基板がフレーム３と平行な方向になるように取り付けられている。
【００１６】
１０はポンプ等の吸引手段（以下、「ポンプ」と称す）で、本体１内の酸素富化膜ユニット２の下方に設けられ、回転軸の両端に冷却用のファン１０ｂを有し、酸素富化膜ユニット２の周辺の空気を酸素富化膜４からフレーム３の通路内に吸引して下流側に送る。そして更にこのポンプ１０は、酸素富化膜４を通過した後の酸素富化空気を、下流側の消音パイプ１１を介して、本体１の側面に設けられた排出口部１２に送り、さらに排出口部１２と連結される後述の酸素富化空気吐出手段まで酸素富化空気を供給するためのヘッドセットユニット１３に送り込んでいる。また前記ポンプ１０には、酸素富化膜４の通過圧損に対抗して酸素富化空気の流量を稼ぐために運転時の圧力が高いベローズポンプが用いられている。
【００１７】
更に前記ポンプ１０は図４に示す如く板金３７に取りつけられ、防振材３８、３９を介して本体１の底部ボスに嵌合して取り付けられている。ボスからの抜けを防止するワッシャ４０、ビス４１で留められている。さらに本体１は防振機能を持つ脚４２を底面に設けている。ポンプ１０の駆動源であるモータ１０ａの過熱防止のための温度ヒューズ４３はクッション４５によってモータ１０ａに接触する方向に付勢して取り付けられている。
【００１８】
また１６、１７は、内ケース左、内ケース右であり、酸素富化膜ユニット２とポンプ１０を内蔵する内ケースを構成し、それぞれの上方に把手１４の回転軸部１５を直接受ける軸受け部１８、１９を一体に設けている。また２０は後述するヘッドセットユニット１３を使用しない時に、引っ掛けて保持しておくための、保持部であり、その外端は大径部としてある。前記保持部２０は前記把手１４の回転軸部１５と一体に設けられており、本体１の側面に別途設ける必要が無く、把手１４の回動の邪魔になることもない。また回転軸部１５と一体に設けられているため、外観のデザイン性も違和感が無く、良いものである。
【００１９】
また、図５の要部概略構成図に示す如く、本体１内のポンプ１０と、酸素富化膜ユニット２のユニット排出口６との間の経路において、外気導入切替用の電磁弁５０を有し、運転終了前に約１分間、電磁弁５０を開いて酸素富化膜４を通過していない外気を吸入してポンプ１０により下流側に送る送風運転を行なうことにより、配管内等に滞留した高湿度の空気を換気し、水滴が発生した場合は、後述する液だまり２２まで追い出し、途中の経路が乾きやすいように構成してある。
【００２０】
また、図５に示すように外気導入切替用の電磁弁５０の上流には、ＨＥＰＡフィルター５１が設けられており、外気を導入する際に、前記ＨＥＰＡフィルター５１により、０．３ミクロンの粒子を９９．７％除去できるように構成されている。
【００２１】
図１２は、ヘッドセットユニット１３と本体１との接続状態を示すもので、同ヘッドセットユニット１３は、本体１側面に回動可能に取り付けた曲がり管によって構成された排出口部１２に送られた酸素富化空気を、使用者の口元に供給するためのものである。本体１の側面に設けた排出口部１２とヘッドセットユニット１３との間の経路には、液だまり２２が配され、排出口部１２と前記液だまり２２とは、塩化ビニル等の柔軟な透明チューブからなる第１の連結管２３で着脱自在に接続され、前記液だまり２２と前記ヘッドセットユニット１３は、同じく塩化ビニル等の透明チューブからなる柔軟な第２の連結管２４で着脱自在に接続されている。そして上記第１の連結管２３と、第２の連結管２４は抗菌剤か帯電防止剤あるいはその両方を含んでいる。
【００２２】
液だまり２２はＯリングで気密を保ちながら、ねじ方式あるいは圧入方式等により、その本体部分が２２ａと２２ｂの２つに分離可能に設けられ、本体部分を２つに分離して内部に溜まった水滴等を排出可能に設けられている。
【００２３】
ヘッドセットユニット１３は、その上部を頭部、首部、耳などにセットするヘッドバンド２５と、酸素富化空気を使用者の口元近傍に吐出する吐出口２１ａを有し、折り曲げ自在の第３の連結管２６の先に着脱自在に設けられた吐出手段である吐出ユニット２１（以下、「吐出ユニット」と称す）とを備えている。折り曲げ自在の第３の連結管２６により吐出ユニット２１の吐出口２１ａを使用者の口元に対向するように向きを可変出来るようになっており、使用者は両手を自由にしたまま酸素富化空気を得る事ができるようになっている。
【００２４】
また、図６から図９に示す２７は本体１の天面に設けられた運転スイッチであり、２８は、同じく本体１の天面に設けられ、選択されたタイマーによる運転時間あるいは送風運転の通電状態を表示するＬＥＤである。そして２９は本体１の前面上部に設けられ、通常運転をしている（高酸素濃度のいわゆる酸素富化空気の供給をしている）時のみ点灯表示する運転表示ランプで、本実施の形態では、殺菌ランプ（紫外線ランプ）と兼用する構成としてある。
【００２５】
また、図１３に示す３０は、本体１の前面上部に設けられた収納部で吐出手段である吐出ユニット２１を着脱自在に複数個収納している。収納部３０は、半透明で外壁の一部を成す収納カバー３１と殺菌ランプ２９が配設された本体前３２で構成され、運転表示ランプを兼用する殺菌ランプ２９と半透明の収納カバー３１の間に吐出ユニット２１が着脱自在に収納されている。
【００２６】
次に、上記構成に基づく本実施の形態の動作について、説明する。
【００２７】
使用者はヘッドセットユニット１３を頭部にセットした上で、運転スイッチ２７をＯＮ操作すると、ポンプ１０に動作電源を供給する回路４４が動作し、通電状態を示すＬＥＤ２８が点灯すると共に、タイマーで設定した時間に応じてポンプ１０が運転し、かつファン９が作動する。
【００２８】
そしてファン９の運転により本体１に設けた吸気口７より外気が吸引され、この外気は酸素富化膜ユニット２を通り、排気口８から本体外に排出される。一方、前記酸素富化膜ユニット２を通る外気はこれを通過する際、ポンプ１０の運転により空気が酸素富化膜ユニット２のフレーム３内に吸引され、その際酸素が通過しやすいところから酸素富化された空気となる。そしてこの酸素富化空気は排出口部１２に送出され、当該排出口部１２より排出される。
【００２９】
上記排出口部１２より吐出される酸素富化空気は、第１の連結管２３、液だまり２２、第２の連結管２４、ヘッドセットユニット１３の第３の連結管２６を経て、吐出ユニット２１に至り、吐出口２１ａより吐出され外部に放出される。使用者は、必要に応じて、第３の連結管２６を動かして、吐出口２１ａを口や鼻に近づけることにより、吐出口２１ａから吐出される酸素富化空気を、口や鼻から吸引できるようになる。
【００３０】
本実施の形態では、ヘッドセットユニット１３の第３の連結管２６と吐出ユニット２１とを着脱自在にしてあるので、使用者は自分専用の吐出ユニット２１を、皆で共用で用いる酸素富化機の本体１のヘッドセットユニット１３に接続して、不快感なく快適に使用する事ができる。吐出ユニット２１は、使用者の口や鼻に近づけて使用するため使う人の息が掛かったり、場合によっては使用中の会話により唾が掛かったりする為、上記のように自分専用の吐出ユニット２１を保有し、それを使うようにすれば、衛生的に使用でき、非常に快適である。また、本実施の形態では、吐出ユニット２１を本体１内に着脱自在に収納してあるので、吐出ユニット２１をポケットや手持カバンなどに収納して持ち運びする事等による吐出ユニット２１の紛失を防止できるものである。
【００３１】
さらには、本実施の形態では、複数の吐出ユニット２１を本体１の収納部３０に着脱自在に収納してあるので、家族それぞれ用又は、不特定多数の人の複数の吐出ユニット２１を本体１内に収納できるものである。
【００３２】
また、ヘッドセットユニット１３の第３の連結管２６から着脱自在とした吐出ユニット２１を本体１の収納部３０に設けた運転表示ランプである殺菌ランプ２９と半透明の収納カバー３１の間に着脱自在に収納して入る為、吐出ユニット２１を本体１に着脱自在に収納することにより吐出ユニット２１の紛失を防止することが出来ると共に殺菌ランプ２９のバックライトの光で吐出ユニット２１の収納状態を半透明の収納カバー３１の外壁に照らし出して外部に示すことにより、本体１の外部から吐出ユニット２１の収納の有無を容易に確認できるようにし、吐出ユニット２１の連結管２６への装着忘れを防止することが出来る。
【００３３】
また、本実施の形態では、運転表示ランプに殺菌ランプ２９を使用している為、殺菌ランプ２９の近傍に着脱自在に吐出ユニット２１を収納することにより、吐出ユニット２１の紛失を防止することが出来ると共に殺菌ランプ２９の殺菌、抗菌作用で吐出ユニット２１を衛生的に保管することが出来、清潔に使用することができる。
【００３４】
更に、本実施の形態では、吐出ユニット２１を本体１に着脱自在に収納した収納部３０である収納カバー３１及び本体前３２に抗菌剤を塗布することによって抗菌処理を施している為、収納カバー３１及び本体前３２に抗菌処理を施したことにより抗菌処理の抗菌作用で吐出ユニット２１をさらに衛生的に保管することが出来る。また、抗菌剤の塗布によって抗菌処理を施したことにより、抗菌処理を安価にかつ容易に施すことができる。
【００３５】
また、上記実施の形態では、収納カバー３１及び本体前３２に抗菌剤を塗布することによって抗菌処理を施したが、抗菌剤変わりに抗菌塗料を塗布することによって抗菌処理を施した場合には、吐出ユニット２１を衛生的に保管できると共に抗菌処理を収納カバー３１及び本体前３２の外観塗装を兼ねて安価にかつ容易に施すことができる。
【００３６】
更に、上記実施の形態では、収納カバー３１及び本体前３２に抗菌剤や抗菌塗料を塗布することによって抗菌処理を施したが、抗菌剤配合の樹脂材料にて収納カバー３１及び本体前３２を形成することによって抗菌処理を施した場合には、抗菌剤や抗菌塗料を塗布する等の後加工工程を行うことなく抗菌処理を施ことが出来、更に抗菌処理を安価にかつ容易に施すことができる。
【００３７】
なお、上記実施の形態で、吐出手段である吐出ユニット２１まで酸素富化空気を供給する手段として、使用者が頭部に装着するヘッドセットユニット１３を例示したが、これに限定されるものではなく、首或いは肩にかけるタイプでも支障が無く、又、腕の一部や胴体の一部にマジックテープ（登録商標）等で巻きつけるタイプでも支障無く、さらに、ネクタイ等の衣服の一部にピン等で止めるタイプでも支障なく、勿論防塵マスクのように、耳等を使って顔の一部を覆うタイプでも支障無いものである。
【００３８】
また、本実施の形態において、外壁の一部を成す収納カバーを半透明としたが、透明であっても支障無いものである。
【産業上の利用可能性】
【００３９】
以上のように、本発明にかかる酸素富化機は、不特定多数の人が用いる酸素富化機を、不快な気持ちになることなく、快適に使用することができると共に、吐出手段の紛失を防止出来るため、家庭、業務用等の酸素富化機に幅広く応用できる。
【図面の簡単な説明】
【００４０】
【図１】本発明の実施の形態１を示す酸素富化機の本体の側面からみた断面図
【図２】同本体の背面からみた断面図
【図３】同本体の天面からみた断面図
【図４】同本体に内蔵されたポンプの取付け部を示す腰部断面図
【図５】同酸素富化空気の供給経路の要部を示す概略構成図
【図６】同本体の背面図
【図７】同本体の平面図
【図８】同本体の正面図
【図９】同本体の側面図
【図１０】同本体に内蔵された酸素富化膜ユニットを構成するモジュールの分解斜視図
【図１１】（ａ）同モジュールを複数枚並べた状態の外観斜視図（ｂ）同モジュールで構成される酸素富化膜ユニットの外観斜視図
【図１２】同酸素富化機に接続されるヘッドセットユニットの外観斜視図
【図１３】同収納部の収納カバーを開けた状態の外観斜視図
【符号の説明】
【００４１】
１      本体
２      酸素富化膜ユニット（酸素富化手段）
４      酸素富化膜
６      ユニット排出口
９      ファン（送風部）
１０    ポンプ（吸引手段）
１２    排出口部
１３    ヘッドセットユニット
２１    吐出ユニット（吐出手段）
２１ａ  吐出口
２２    液だまり
２３    第１の連結管
２４    第２の連結管
２５    ヘッドバンド
２６    第３の連結管
２９    殺菌ランプ
３０    収納部
３１    収納カバー
３２    本体前
【図１】
2009039201.tif 000003
【図２】
2009039201.tif 000004
【図３】
2009039201.tif 000005
【図４】
2009039201.tif 000006
【図５】
2009039201.tif 000007
【図６】
2009039201.tif 000008
【図７】
2009039201.tif 000009
【図８】
2009039201.tif 000010
【図９】
2009039201.tif 000011
【図１０】
2009039201.tif 000012
【図１１】
2009039201.tif 000013
【図１２】
2009039201.tif 000014
【図１３】
2009039201.tif 000015